(57)【要約】シャワー室又は浴槽の中で品物を収納するための壁に取り付け可能な棚は、フレームと、フレームに接続されたベース部材と、フレームに接続され及びフレームを壁上に支持するように配置されたバックプレートと、棚を壁面に固定するためにバックプレートと壁との間に配置された接着剤とを含む。フレームは、トップレール部分と、フロントレール部分と、トップレール部分とフロントレール部分とを接続する１対のサイドレール部分とを含む。各サイドレール部分は、トップレール部分から下向きに延びるバック部分と、バック部分からフロントレール部分まで延び、９０°未満の角度で配置されたボトム部分とを含む。
2010502383.tif 000002
【特許請求の範囲】
【請求項１】
（ａ）トップレール部分と、フロントレール部分と、前記トップレール部分と前記フロントレール部分とを接続する１対のサイドレール部分とを含むフレームであって、各サイドレール部分が、前記トップレール部分から下向きに延びるバック部分と、前記バック部分から前記フロントレール部分まで延びるボトム部分とを含み、更に各サイドレールのバック部分と各サイドレールのボトム部分とが９０°未満の角度で配置されるフレームと、
（ｂ）前記フレームに取り外し可能に接続されたベースであって、少なくとも前記サイドレールのボトム部分の間に延びるベースと、
（ｃ）前記フレームに接続され、前記フレームを前記壁上に支持するように配置された少なくとも１つのバックプレートと、
（ｄ）前記棚を前記壁面に固定するために、前記バックプレートと前記壁との間に配置された少なくとも１つの引き伸ばし除去可能な接着性ストリップと、を含む、壁に取り付け可能な棚。
【請求項２】
前記フレームが、ロッドから構築される、請求項１に記載の棚。
【請求項３】
前記ベースが、排水開口部を含む、請求項１に記載の棚。
【請求項４】
各サイドレールのバック部分と各サイドレールのボトム部分との間に配置された側壁を更に含む、請求項１に記載の棚。
【請求項５】
前記引き伸ばし除去可能な接着性ストリップが、接着性部分と、非接着性プルタブ部分とを含む、請求項１に記載の棚。
【請求項６】
前記非接着性プルタブ部分が、前記バックプレートの最下部を超えて外側に延びる、請求項５に記載の棚。
【請求項７】
前記ベースが、少なくとも部分的に前記サイドレールのバック部分に沿って上向きに延びる後壁部分を含み、それによって、前記ベースが前記フレームに接続されるとき、前記接着性ストリップの前記非接着性プルタブ部分を隠す、請求項６に記載の棚。
【請求項８】
各サイドレール部分に隣接した前記トップレール部分の対向する末端部に配置された１対のバックプレートを含む、請求項１に記載の棚。
【請求項９】
前記バックプレートが、前記接着性ストリップに対向する前記バックプレートの前面から外側に延びる支持リッジを含み、前記ベースが、前記リッジとの係合のために配置されたへりを含む、請求項１に記載の棚。
【請求項１０】
前記壁面に隣接した前記棚の最下部に沿って配置された接触部を更に含み、それによって、品物が前記棚の上に置かれたときに、前記接触部が、前記壁面との係合を促される、請求項１に記載の棚。
【発明の詳細な説明】
【技術分野】
【０００１】
本発明は、一般に収納物品に関し、とりわけ、浴槽又はシャワーの中で一般的に使用される多様な品物を保持するために、浴槽又はシャワー室の内面に接着取り付けできる収納棚に関する。
【背景技術】
【０００２】
しばしばシャワーキャディー又はバスキャディーと呼ばれる、シャワー及び浴槽の収納装置は、石鹸、シャンプー、及び他の浴用品のような品物を、シャワー室及び浴槽の中に保持及び／又は収納するために一般的に使用される。収納された品物の重量のために、またこうした品物をクギ及びネジのような機械的締結具を使用してシャワー室又は浴槽に取り付けることは一般に実用的ではないために、こうした装置は、典型的には、シャワーノズル備品から吊るされる。こうした装置は、先行技術において既知である。例えば、米国特許第４，９６９，５８０号（ミカイル・エサット（Mikhail Essatt））、米国特許第４，１０８，３１４号（ラッカ（Racca））、米国特許第５，２５５，４０１号（サンブルックス（Sambrookes）ら）、及び米国特許第６，５２０，３５１号（ザドロ（Zadro））はこうした装置を開示する。例えば、米国特許第５，２８９，９２７号（エメリー（Emery））に開示されるように、こうした装置を吸盤を使用して取り付けることもまた既知である。
【０００３】
しかしながら、こうした装置は、いくつかの不利な点及び欠点を抱えている。例えば、シャワーノズル備品から垂れ下がる装置は大きく邪魔になりがちで、並びにこうした装置は、キャディ内の品物にユーザーが手を伸ばせるように、シャワーヘッドより下に、シャワーノズル備品からぶら下がらなくてはならないため、それらは不安定であり、また横に揺れたりシャワーノズル備品から滑り落ちたりする傾向がある。加えて、取り付け場所はシャワーノズル備品の場所によって限定されるため、それらを動かすことはできず、またそれらはシャワーヘッドの直ぐ下に取り付けられなくてはならないため、シャワーの使用を邪魔する傾向がある。一方、吸盤で取り付けられた装置は、限られた保持能力を有し、時間と共にそれらの保持能力を失う傾向がある。結果として、吸盤で取り付けられた装置は、機能しなくなることが多く、それによって装置及びその中身は壁から落ちることになる。
【先行技術文献】
【特許文献】
【０００４】
【特許文献１】米国特許第４，９６９，５８０号
【特許文献２】米国特許第４，１０８，３１４号
【特許文献３】米国特許第５，２５５，４０１号
【特許文献４】米国特許第６，５２０，３５１号
【特許文献５】米国特許第５，２８９，９２７号
【特許文献６】米国特許第４，０２４，３１２号
【特許文献７】米国特許第５，５１６，５８１号
【特許文献８】米国特許第６，２３１，９６２号
【特許文献９】米国特許第６，５６９，５２１号
【特許文献１０】米国特許第７，０７８，０９３号
【特許文献１１】ドイツ特許第３３  ３１  ０１６号
【特許文献１２】米国特許第６，９７２，１４１号
【発明の概要】
【発明が解決しようとする課題】
【０００５】
そのため、シャワー室又は浴槽の壁面に接着取り付けできる収納装置であって、安価で、設置しやすく、こうした装置内に一般的に収納される品物を支持するのに十分な強さで保持する収納装置に対する必要性が存在する。
【課題を解決するための手段】
【０００６】
本発明は、シャワー室又は浴槽の壁面に接着取り付けできる収納装置であって、安価で、設置しやすく、こうした装置内に一般的に収納される品物を支持するのに十分な強さで保持する収納装置を提供することによって、以上に認められたこの分野における限界を克服する。
【０００７】
１つの実施形態では、本発明は、トップレール部分と、フロントレール部分と、トップレール部分とフロントレール部分とを接続する１対のサイドレール部分とを有するフレームを含む、シャワー室又は浴槽の壁面上に取り付けるための、壁に取り付け可能な棚を提供する。各サイドレール部分は、トップレール部分から下向きに延びるバック部分を含み、またバック部分からフロントレール部分まで延びるボトム部分を含む。本発明の１つの態様では、サイドレールのバック部分とサイドレールのボトム部分は、約９０°以下の角度で一般に配置される。棚は、フレームに取り外し可能に接続され少なくともサイドレールのボトム部分の間に延びるベースと、フレームに接続されフレームを壁上に支持するように配置された少なくとも１つのバックプレートと、棚を壁面に固定するために、バックプレートと壁との間に配置された少なくとも１つの引き伸ばし除去可能な接着性ストリップとを更に含む。
【図面の簡単な説明】
【０００８】
本発明は、添付図面を参照して更に説明される。
【図１】本発明による、接着取り付け可能な壁面棚の斜視図。
【図２】図１の棚の部分分解図。
【図３】品物が棚上に置かれた、壁面に取り付けられた図１の棚の平面側面図。
【発明を実施するための形態】
【０００９】
ここで図を参照するが、類似の参照番号は、いくつかの図にわたって類似の部分又は対応する部分を指しており、図１〜３は、品物をシャワー室又は浴槽の中に収納するための、壁に取り付け可能な棚２を示す。棚２は、フレーム４と、フレーム４に取り外し可能に接続されたベース部材６と、フレーム４に取り外し可能に接続されフレーム４を支持するように配置された１対のバックプレート８、１０と、棚２を壁面１２に固定するために、バックプレート８、１０と壁面１２との間に配置された接着性ストリップ１４（図３）とを含む。バックプレート８、１０は、フレーム４に取り外し可能に接続されてもよいし、又はバックプレートは、例えば溶接により、フレーム４に相対的に永久に固着されてもよい。
【００１０】
バックプレート８、１０を壁面１２に取り付けるために適切な接着性ストリップ１４は、ミネソタ州セントポール（St. Paul）の３Ｍ社（3M Company）から商用名コマンド（COMMAND）のもとに入手可能である、両面引き伸ばし剥離可能な接着性ストリップである。市販のコマンド（COMMAND）接着性ストリップは、除去中にストリップの引き伸ばしを容易にするように、ストリップの１つの末端部が非接着性プルタブを含む別個のストリップとして現在製造されている。
【００１１】
引き伸ばし剥離接着剤は、強い保持力ときれいな除去及び表面損傷がないことを兼ね備える高性能感圧性接着剤である。両面接着性ストリップ１４は、弾性裏材を有する引き伸ばし剥離接着テープ、高延伸性及び実質的に非弾性の裏材を有する引き伸ばし剥離接着テープ、又は固体の弾性感圧性接着剤を含む引き伸ばし剥離接着テープを含む従来既知の任意の引き伸ばし剥離接着テープであってよいが、好ましくは、耐湿性の（即ち、それらが、水の存在下及び／又は高湿度環境において保持力を維持する）引き伸ばし剥離可能接着性ストリップである。
【００１２】
本発明の様々な実施形態に使用するのに好適な具体的なテープには、米国特許第４，０２４，３１２号（コープマン（Korpman））に記載される弾性裏材を有する感圧性接着性ストリップ、米国特許第５，５１６，５８１号（クレッケル（Kreckel）ら）及び第６，２３１，９６２号（ブリース（Bries）ら）、第６，５６９，５２１号（シェリダン（Sheridan）ら）、第７，０７８，０９３号（シェリダンら）に記載される高延伸性及び実質的に非弾性の裏材を有する感圧性接着性ストリップ、並びにドイツ特許第３３  ３１  ０１６号（German Patent No. 33 31 016）に記載される固体の弾性感圧性接着性ストリップが挙げられる。別の好適な引き伸ばし剥離接着性構造体は、米国特許第６，９７２，１４１号（ブリース（Bries）ら）に記載される分離可能な締結具を含む引き伸ばし除去可能な接着テープラミネートである。
【００１３】
棚フレーム４は、トップレール部分４ａと、フロントレール部分４ｂと、トップレール部分４ａとフロントレール部分４ｂとを接続する１対のサイドレール部分４ｃとを含む。各サイドレール部分４ｃは、トップレール部分４ａから下向きに延びるバック部分４ｃ’と、バック部分４ｃ’からフロントレール部分４ｂまで延びるボトム部分４ｃ”とを含む。ベース部材６は、サイドレールのボトム部分４ｃ”の間に延びるほぼ平面の支持体表面６ａを含み、サイドレールのバック部分４ｃ’の下部の間に延びる傾斜した背面６ｂを含む。棚２が完全に組み立てられたときに、ベース部材６はトップレール部分４ａまでは延びていないため、図１に示されるように、バックプレート８、１０は、棚２の背を通して依然として見える。
【００１４】
サイドレールのバック部分４ｃ’とサイドレールのボトム部分４ｃ”は、約９０°以下の角度で配置される。この方式で配置されると、ベース部材６は、図３に最もはっきりと示されるように、壁面１２に向かう方向において下向きに傾斜し、それによって、図３に示される容器１６のような品物を壁面１２に向かって後方に傾くようにベース部材６の支持体表面６ａ上に配置する。理論に束縛されるものではないが、容器１６のような品物をトップレール部分４ａに向かって後方に寄り掛かるようにすることは、完全に水平な棚の配置と比べて、品物がよりしっかりと棚２に捉えられるために、より安定な収納装置を作り出すと考えられている。即ち、水平な棚は、容器をその底面に沿ってのみ支持することになるが、容器１６は、その底面及び側面の両方に沿って支持される。加えて、この配置は棚２の保持能力を増大すると考えられている。
【００１５】
任意の接触部材２８（図３）が、壁面１２に隣接した棚２の最下部に沿って提供されてもよい。接触部材２８は、品物が棚２の上に置かれたときに、壁面１２と接触するように配置される。この方式で配置されると、接触部２８は、接着性ストリップ上の張力（即ち、壁面１２に垂直な方向の力）を低減するが、これは、さもなければ、バックプレート８、１０が棚２の最下部に沿って壁面１２に向かって、及び棚２の最上部に沿って壁面１２から離れて旋回するときに、接着性ストリップ１４の最上部にもたらされることになる。この方式により、接着性ストリップ１４の最上部の剥離力は低減され、棚２の全体の保持能力は更に増大する。
【００１６】
例示された実施形態では、フレーム４は、連続する剛性ロッドである。棚２を、より小さくまとめて移送又は収納させるために、フレーム４は、フレームのトップレール部分４ａとフロントレール部分４ｂが互いに隣接して配置されるように、サイドレール部分４ｃが折り畳めるヒンジのある構造体を含んでもよい。
【００１７】
ベース部材６を通って水を排出させるために、ベース部材６は開口部１８を任意に含む。ベース６が角度をもって配置され、水はベース部材６の最下部（即ち、支持体表面６ａが背面６ｂと接触するところ）に沿って集まる傾向があるため、ベース部材６は、底面６ａが背面６ｂと接触するところに穴又はスロットを含んで、ベース部材６の最下部に沿って水の排出を容易にしてもよい。
【００１８】
棚２はまた、各サイドレールのバック部分４ｃ’と各サイドレールのボトム部分４ｃ”との間に配置された任意の側壁２２（図１）を含んでもよいし、又はサイドレールのバック部分及びサイドレールのボトム部分から延びるレールを含んでもよい。
【００１９】
支持バー２４（図２）は、バックプレート８、１０に隣接したサイドレール部分４ｃの間に延び、ベース部材６は、支持バー２４と係合するように配置されたへり２６を含む。支持バー２４及びへり２６は、ベース部材６を、素早く及び容易にバックプレート８、１０に接続できるように、またそれらから取り外せるようにする。加えて、フレームの背は開いているため（即ち、ベース部材６がフレーム４と接続されているとき、ベース部材６はフレーム４のトップレール部分４ａまで延びていないため）、及びバックプレート８、１０は、フレーム４が壁面１２と間隔をあけるのに役立つため、ユーザーは、ベース部材６をフレーム４に容易に接続でき、またそれから取り外すことができる。
【００２０】
引き伸ばし剥離接着性ストリップ１４は、図１及び２ではバックプレート８、１０により隠されている接着性部分１４ａ、並びに図２に最もはっきりと示されるように、バックプレート８、１０の最下部を超えて外側に延びる非接着性プルタブ部分１４ｂを含む。この方式で配置されると、ベース部材６がフレーム４に接続されているときには、ベース部材６は非接着性プルタブ部分１４ｂを隠すのに役立つが、ベース部材６がフレーム２から取り外されているときには、非接着性プルタブ１４ｂが見え、接着性ストリップ１４を壁面１２から引き伸ばし除去しようとするユーザーが容易に手を伸ばすことができる。
【００２１】
接着性ストリップ１４が、例えば、米国特許第６，９７２，１４１号（ブリース（Bries）ら）に記載されるような分離可能な締結具を含む場合には、接着性ストリップ１４は、接着性ストリップの接着性部分１４ａと非接着性プルタブ部分１４ｂとの両方が、バックプレート８、１０によって隠されるように配置されてもよい。これは、各接着性ストリップを分離可能な締結具を介して最初に分離し、次いで各接着性ストリップの各残りの半分を、それぞれの表面から引き伸ばし除去することにより、接着性ストリップを除去できるために可能である。
【００２２】
フレーム４、ベース６、及びバックプレート８、１０を含む棚２は、例えば、金属及び合成プラスチック材料のような、好適ないかなる材料から形成されてもよい。フレーム４に特に好適な材料は、ビニルコーティングされた針金である。
【００２３】
発明の概念から逸脱することなく上記の発明に様々な変更及び修正を行えることは、当業者には理解されよう。したがって、本発明の範囲は本出願に記載される構造に限定されるべきではなく、特許請求の範囲の文言によって記載される構造及びそれらの構造と同等のものによってのみ限定されるものである。
【図１】
2010502383.tif 000003
【図２】
2010502383.tif 000004
【図３】
2010502383.tif 000005
【国際調査報告】
2010502383.tif 000006
2010502383.tif 000007